(57)【要約】【課題】竿から巻き出す釣り糸に投擲用玩具が設けられた愛玩動物用玩具において、愛玩動物と遊ぶ際の自由度を向上させる。【解決手段】愛玩動物用玩具１０は、竿１１と、竿１１に取り付けられて釣り糸１２が巻き付けられたリール１３と、リール１３から巻き出された釣り糸１２に取り付けられる重り１５とを備え、釣り糸１２の先端側に取り付けた投擲用玩具２０を重り１５と共に投げることが可能に構成されている。【選択図】図１
0003211686.tif 000002
【実用新案登録請求の範囲】
【請求項１】
竿と、
前記竿に取り付けられて釣り糸が巻き付けられたリールと、
前記リールから巻き出された釣り糸に取り付けられる重りとを備え、
前記釣り糸の先端側に取り付けた投擲用玩具を前記重りと共に投げることが可能に構成されていることを特徴とする、愛玩動物用玩具。
【請求項２】
前記重りは、金属製の本体と、前記本体よりも柔らかい材料によって形成されて前記本体の外面を被覆する被覆カバーとを備えていることを特徴とする、請求項１に記載の愛玩動物用玩具。
【請求項３】
前記重りは、ボール形状に形成され、
前記重りでは、前記ボール形状の外周よりも内側に貫通孔が形成され、
前記貫通孔に前記釣り糸を通して、前記重りに前記釣り糸を結び付けることが可能に構成されていることを特徴とする、請求項１又は２に記載の愛玩動物用玩具。
【請求項４】
前記重りは、ボール形状の本体を有し、
前記本体には、前記リール側の釣り糸と、前記投擲用玩具側の糸又は紐とを接続するジョイント部が設けられていることを特徴とする、請求項１乃至３の何れか１つに記載の愛玩動物用玩具。
【請求項５】
前記重りは、前記リール側の釣り糸が接続される第１分割体と、前記投擲用玩具側の釣り糸又は紐が接続される第２分割体とを備え、前記第１分割体と前記第２分割体とが着脱自在になっていることを特徴とする、請求項１乃至３の何れか１つに記載の愛玩動物用玩具。
【請求項６】
前記投擲用玩具から延びる紐の端にはボール部が接続され、
前記重りには、前記ボール部を収容可能な内部空間と、前記ボール部を前記内部空間に出し入れするための出入口と、前記出入口から延びるスリットとが形成され、
前記ボール部を前記内部空間に入れた状態で前記スリットに前記紐を通すことで、前記重りに前記ボール部を引っ掛けることが可能となっていることを特徴とする、請求項１乃至３の何れか１つに記載の愛玩動物用玩具。
【請求項７】
前記竿は、伸縮式に構成されており、
前記竿は、調節した長さに保持する保持機構を有することを特徴とする、請求項１乃至６の何れか１つに記載の愛玩動物用玩具。
【請求項８】
前記投擲用玩具と前記重りとの接続には、前記リールから巻き出される釣り糸よりも太い紐又は糸が用いられていることを特徴とする、請求項１乃至７の何れか１つに記載の愛玩動物用玩具。
【考案の詳細な説明】
【技術分野】
【０００１】
本考案は、人間が愛玩動物と遊ぶための愛玩動物用玩具等に関する。
【背景技術】
【０００２】
従来から、飼主など人間が愛玩動物（ペット）と遊ぶための玩具として様々なものが考案されている。特許文献１には、竿の中程に設けられた糸巻き部から糸を繰り出し、糸の先端部に取り付けられたねずみの模型を動かすことができる愛玩動物用玩具が記載されている。
【先行技術文献】
【特許文献】
【０００３】
【特許文献１】意匠登録第１１２１９７７号公報
【考案の概要】
【考案が解決しようとする課題】
【０００４】
しかし、従来は、釣り糸の先端側に取り付けられた投擲用玩具（動物の人形や模型など）を遠くに投げることが困難であった。そのため、投擲用玩具を放り投げた後に、釣り糸の巻き取りがすぐに終わってしまい、遊びの自由度が十分であるとは言い難かった。
【０００５】
本考案は、このような事情に鑑みてなされたものであり、竿から巻き出す釣り糸に投擲用玩具が設けられた愛玩動物用玩具において、愛玩動物と遊ぶ際の自由度を向上させることを目的とする。
【課題を解決するための手段】
【０００６】
上述の課題を解決するべく、第１の考案は、竿と、竿に取り付けられて釣り糸が巻き付けられたリールと、リールから巻き出された釣り糸に取り付けられる重りとを備え、釣り糸の先端側に取り付けた投擲用玩具を重りと共に投げることが可能に構成されていることを特徴とする、愛玩動物用玩具である。
【０００７】
第２の考案は、第１の考案において、重りは、金属製の本体と、本体よりも柔らかい材料によって形成されて本体の外面を被覆する被覆カバーとを備えている。
【０００８】
第３の考案は、第１又は第２の考案において、重りは、ボール形状に形成され、重りでは、ボール形状の外周よりも内側に貫通孔が形成され、貫通孔に釣り糸を通して、重りに釣り糸を結び付けることが可能に構成されている。
【０００９】
第４の考案は、第１乃至第３の何れか１つの考案において、重りは、ボール形状の本体を有し、本体には、リール側の釣り糸と、投擲用玩具側の糸又は紐とを接続するジョイント部が設けられている。
【００１０】
第５の考案は、第１乃至第３の何れか１つの考案において、重りは、リール側の釣り糸が接続される第１分割体と、投擲用玩具側の釣り糸又は紐が接続される第２分割体とを備え、第１分割体と第２分割体とが着脱自在になっている。
【００１１】
第６の考案は、第１乃至第３の何れか１つの考案において、投擲用玩具から延びる紐の端にはボール部が接続され、重りには、ボール部を収容可能な内部空間と、ボール部を内部空間に出し入れするための出入口と、出入口から延びるスリットとが形成され、ボール部を内部空間に入れた状態でスリットに紐を通すことで、重りにボール部を引っ掛けることが可能となっている。
【００１２】
第７の考案は、第１乃至第６の何れか１つの考案において、竿は、伸縮式に構成されており、竿は、調節した長さに保持する保持機構を有する。
【００１３】
第８の考案は、第１乃至第７の何れか１つの考案において、投擲用玩具と重りとの接続には、リールから巻き出される釣り糸よりも太い紐又は糸が用いられている。
【考案の効果】
【００１４】
第１の考案では、釣り糸の先端側に取り付けた投擲用玩具を重りと共に投げることができるため、投擲用玩具を遠投することが可能である。また、釣り糸を巻き取る際に、リールを用いて投擲用玩具に様々な動きを与えることもできる。第１の考案によれば、愛玩動物と遊ぶ際の自由度を向上させることができる。
【００１５】
第２の考案では、被覆カバーが本体の外面を被覆しているため、投擲用玩具を投げた際に重りが人間や愛玩動物に当たったとしても怪我をさせにくい。
【００１６】
第３の考案では、重りのボール形状（球体、楕円体、アメフトのボール形状など）の外周よりも内側に形成された貫通孔に釣り糸を通して、釣り糸を重りに結び付けることができる。ここで、魚釣り用の重りは、釣り糸を結び付けるリングが重り本体の外面から突出している。そのため、魚釣り用の重りを愛玩動物用玩具にそのまま適用した場合、愛玩動物が投擲用玩具や重りなどを激しく動かした時にリングに釣り糸が絡まりやすい。それに対し、第３の考案では、釣り糸を結び付けるための部材として、重りのボール形状の外面から突出する部材を設ける必要がない。従って、愛玩動物が投擲用玩具や重りなどを激しく動かしたとしても釣り糸が絡まりにくく、釣り糸が絡まるストレスを抑制することができる。
【００１７】
第４の考案では、重りのボール形状の本体にジョイント部が設けられている。そのため、リール側の釣り糸と投擲用玩具側の糸又は紐とを接続するために、ジョイントを別途に設ける必要がない。そのため、ジョイントを用いる場合に比べて釣り糸の絡まりを抑制することができる。
【００１８】
第５の考案では、リール側の釣り糸を取り付ける第１分割体と、投擲用玩具側の釣り糸又は紐を取り付ける第２分割体とが着脱自在になっている。つまり、重りがジョイントを兼ねており、ジョイントを別途に設ける必要がない。そのため、ジョイントを用いる場合に比べて釣り糸の絡まりを抑制することができる。
【００１９】
第６の考案では、投擲用玩具から延びる紐の端にボール部を設け、そのボール部を重りに引っ掛けることで、投擲用玩具を重りに取り付けることができる。この状態では、重りの内部空間にボール部が入れられている。そのため、ボール部を引っ掛ける部材を重りの外側に設ける必要がなく、釣り糸が絡まりにくい。また、出入口を通してボール部を重りの内部空間に出し入れするという簡単な方法で、投擲用玩具を取り付け又は取り外しを行うことができる。
【００２０】
第７の考案では、竿の保持機構によって竿を調節した長さに保持できるため、振りやすい長さに竿を調節して、投擲用玩具を投げることが可能である。
【００２１】
第８の考案では、投擲用玩具と重りとを接続する紐又は糸での絡まりが生じにくい。そのため、上述の紐又は糸が絡まるストレスや、紐又は糸が愛玩動物に絡みつくトラブルを抑制することができる。
【図面の簡単な説明】
【００２２】
【図１】実施形態に係る愛玩動物用玩具の斜視図
【図２】愛玩動物用玩具におけるリールの拡大図
【図３】（ａ）愛玩動物用玩具における重りの拡大図、（ｂ）重りのＡ−Ａ断面図
【図４】その他の実施形態に係る重りの拡大図
【考案を実施するための形態】
【００２３】
以下、図１−図４を参照しながら、本考案の実施形態を詳細に説明する。なお、以下の実施形態は、本考案の一例であって、本考案、その適用物、あるいはその用途の範囲を制限することを意図するものではない。
【００２４】
［１．愛玩動物用玩具の構成等］
愛玩動物用玩具１０は、図１に示すように、細長い棒状の竿１１と、竿１１に取り付けられて釣り糸１２が巻き付けられたリール１３と、リール１３から巻き出された釣り糸１２に取り付けられる重り１５とを備えている。愛玩動物用玩具１０は、釣り糸１２の先端側に取り付けた投擲用玩具２０（例えば、動物の人形や模型など、愛玩動物が興味を引く小型の玩具）を重り１５と共に投げることが可能に構成されている。
【００２５】
竿１１では、一端側にグリップ１１ａが形成されている。竿１１におけるグリップ１１ａの先端側にリール１３が取り付けられている。また、竿１１には、１つ又は複数のガイド１１ｂが設けられている。ガイド１１ｂは、リール１３から巻き出した釣り糸１２を通すリング部を有する。なお、竿１１を中空に形成にして、さらに竿１１の先端などに中空と繋がる開口を設けて、竿１１の内部をガイド１１ｂとしてもよい。
【００２６】
リール１３は、図２に示すように、釣り糸１２が巻き付けられる巻取部１６（スプール）と、巻取部１６を回転させるハンドル１７と、巻取部１６を被覆するカバー１８とを備えている。図２では、カバー１８内の巻取部１６を模式的に破線で示している。
【００２７】
カバー１８は、巻取部１６側から竿１１の先端側に向かって膨出する形状（略楕円体をほぼ半分にした形状）をしており、先端部に釣り糸１２を通す貫通孔１８ａが設けられている。本実施形態では、巻取部１６が露出しないため、愛玩動物が巻取部１６に触れることによる巻取部１６側での釣り糸１２の絡まりを防止することができる。なお、図２における符号１９はドラグノブである。
【００２８】
釣り糸１２は、巻取部１６から巻き出されて各ガイド１１ｂに通される。先端のガイド１１ｂから延び出る釣り糸１２の先端は、略楕円体状の重り１５の一端側（図３（ａ）における上側）に接続されている。また、重り１５の他端側には、投擲用玩具２０まで延びる接続紐２２が接続されている。接続紐２２は、釣り糸１２よりも太く、愛玩動物が投擲用玩具２０を自由に動かしたとしても絡まりにくくなっている。
【００２９】
また、釣り糸１２には、ナイロン糸、又は、ラバーコーティングを施した糸を用いることができる。ラバーコーティングを施した糸の場合、釣り糸１２自体が絡まりにくく、さらに釣り糸１２が愛玩動物にも絡まりにくくもなっている。
【００３０】
重り１５は、図３（ａ）に示すように、外面が滑らかな曲面のボール形状に形成されている。重り１５は、図３（ｂ）に示すように、金属製（例えば真鍮製）の本体１５ａと、本体１５ａの外面を被覆する被覆カバー１５ｂとを備えている。被覆カバー１５ｂは、本体１５ａよりも柔らかく軽い材料（例えばゴム）を用いて形成されている。本実施形態では、被覆カバー１５ｂが本体１５ａのほぼ全外面を被覆しており、投擲用玩具２０を投げた際に重り１５が人間や愛玩動物に当たったとしても怪我をさせにくい。
【００３１】
また、重り１５の一端側には、貫通孔２５が形成されている。貫通孔２５は、ボール形状の外周よりも内側に形成されている。図３（ｂ）に示すように、貫通孔２５に釣り糸１２を通して重り１５に釣り糸１２を結び付けることができる。本実施形態では、重り１５の外面からは、釣り糸１２を結び付ける部材は突出しておらず、愛玩動物が投擲用玩具２０や重り１５などを激しく動かしたとしても、重り１５に釣り糸１５が絡まりにくい。
【００３２】
また、重り１５の中央部から他端側にかけて、投擲用玩具２０から延びる接続紐２２の端に設けたボール部３０を引っ掛けるための引掛部２６（ジョイント部）が形成されている。引掛部２６は、ボール部３０を収容可能な内部空間２６ａと、ボール部３０を内部空間２６ａに出し入れするための出入口２６ｂと、出入口２６ｂから延びるスリット２６ｃとを有する。出入口２６ｂはボール部３０よりも大きく、スリット２６ｃの幅はボール部３０の外径よりも小さい。
【００３３】
本実施形態では、ボール部３０を内部空間２６ａに入れた状態でスリット２６ｃに接続紐２２を通して、重り１５にボール部３０を引っ掛けることで、重り１５に投擲用玩具２０を取り付けることできる。また、ボール部３０を出入口２６ｂから出すことで、投擲用玩具２０を重り１５から取り外すことができる。本実施形態では、投擲用玩具２０を取り付けるための部材を重り１５の外側に設ける必要がなく、釣り糸１２が絡まりにくい。また、出入口２６ｂを通してボール部３０を重りの内部空間２６ａに出し入れするという簡単な方法で、投擲用玩具２０を取り付け又は取り外しを行うことができる。
【００３４】
［２．実施形態の効果など］
本実施形態では、釣り糸１２の先端側に取り付けた投擲用玩具２０を重り１５と共に投げることができるため、投擲用玩具２０を遠投することが可能である。また、釣り糸１２を巻き取る際に、リール１３を用いて投擲用玩具２０に様々な動きを与えることもできる。本実施形態によれば、愛玩動物と遊ぶ際の自由度を向上させることができる。
【００３５】
［３．その他の実施形態］
上述の実施形態において、図４に示す重り１５を用いてもよい。重り１５は、平面視で略楕円形に形成されている。重り１５は、金属製（例えば真鍮製）の本体１５ａと、本体１５ａの外面を被覆する被覆カバー１５ｂとを備えている。被覆カバー１５ｂは、プラスチックなどの樹脂製である。本体１５ａは被覆カバー１５ｂよりも比重が大きい。また、重り１５は、第１分割体２６と第２分割体２７とに分割可能（着脱自在）である。第１分割体２６と第２分割体２７との各々には、互いに嵌り合う嵌合部２８（ジョイント部）が設けられ、嵌合部２８を互いに嵌め合うことで一体化される。そのため、別途にジョイントを設ける必要がなく、ジョイントを用いる場合に比べて釣り糸１２の絡まりを抑制することができる。また、釣り糸１２も接続紐２２も、端が重り１５に埋設されており、リング状の金具などを用いて接続されていない。そのため、さらに絡まりにくくなっている。なお、重り１５の外側に、釣り糸１２又は接続紐２２を結び付ける金具を設けてもよい。
【００３６】
上述の実施形態において、例えば車椅子に座った人でも投擲用玩具２０を放り投げやすいように、竿１１を例えば３０ｃｍ〜４０ｃｍ程度の長さにしてもよいし、長さ調節できる伸縮式の竿１１を採用してもよい。伸縮式の竿１１を採用する場合、竿１１は、調節した長さに保持する保持機構を有する。この場合、竿１１は、複数の棒状パーツによって構成されている。隣り合う棒状パーツでは、グリップ側１１ａの棒状パーツ（外管）内に、先端側の棒状パーツが収納可能となっている。保持機構としては、例えば、グリップ側１１ａの棒状パーツの内面に対し、先端側の棒状パーツを所定の方向に回転させると結合し逆方向に回転させると結合解除される機構（物干し竿の機構）を採用することができる。また、保持機構としては、グリップ側１１ａの棒状パーツの先端側の内面に対し、先端側の棒状パーツの両端部とも嵌め込むことができるように両端部の太さに設定した機構であってもよい。この場合、先端側の棒状パーツは、両端部に比べて両端部の間が細くなっている。
【００３７】
上述の実施形態において、接続紐２２の先端（重り１５とは反対の端）にジョイントを設けて、投擲用玩具２０を交換できるようにしてもよい。また、接続紐２２の部分には紐ではなく糸を使用してもよい。
【産業上の利用可能性】
【００３８】
本考案は、人間が愛玩動物と遊ぶための愛玩動物用玩具等に適用可能である。
【符号の説明】
【００３９】
１０    愛玩動物用玩具
１１    竿
１３    リール
１５    重り
２６    第１分割体
２７    第２分割体
【図１】
0003211686.tif 000003
【図２】
0003211686.tif 000004
【図３】
0003211686.tif 000005
【図４】
0003211686.tif 000006